(57)【要約】【課題】ダイバシティ受信によって受信可能な放送の探索を、短時間で探索漏れなく行う「放送受信装置」を提供する。【解決手段】ダイバシティ受信品質QrDが良好である場合、受信中のチャネルは正常に受信できる周波数チャネルである受信可能チャネルであると判定し、ダイバシティ受信品質QrDが良好でない場合には、第１チューナ１０３における受信品質Qr1と第２チューナ１０４における受信品質Qr2の平均値が良好であるかどうかを調べる。そして、平均値が良好でない場合には、受信中のチャネルは受信可能チャネルでないと判定する。また、平均値が良好である場合には、所定期間が経過してダイバシティ受信品質QrDの検出値が安定するようになるのをまって、ダイバシティ受信品質QrDより、受信中のチャネルが受信可能チャネルであるかどうかを判定する。【選択図】図１
2018056938.tif 000002
【特許請求の範囲】
【請求項１】
放送チャネルを用いて無線伝送される放送を受信する放送受信装置であって、
前記放送を受信する第１受信手段と、
前記放送を受信する第２受信手段と、
前記第１受信手段と第２受信手段とを用いた前記放送のダイバシティ受信を行うダイバシティ受信部と、
前記検査チャネルの前記第１受信手段による受信品質を第１受信品質として検出する第１受信品質検出部と、
前記検査チャネルの前記第２受信手段による受信品質を第２受信品質として検出する第２受信品質検出部と、
前記検査チャネルの前記ダイバシティ受信部の受信品質をダイバシティ受信品質として検出するダイバシティ受信品質検出部と、
検査対象の放送チャネルである検査チャネルが、正常に受信できる受信可能放送チャネルであるかどうかを判定する判定処理を行う受信可能放送チャネル判定手段とを有し、
前記受信可能放送チャネル判定手段は、前記判定処理において、
前記検査チャネルの前記ダイバシティ受信品質が、所定の第１のレベルより良好である場合に、前記検査チャネルは前記受信可能放送チャネルであると判定する第１判定ステップを実行すると共に、
前記第１判定ステップで前記検査チャネルの前記ダイバシティ受信品質が前記受信可能放送チャネルであると判定できなかった場合に、前記検査チャネルの前記第１受信品質と前記第２受信品質とを総合的に評価した評価値を調べ、当該評価値が、所定のしきい値より低い場合に、前記検査チャネルは前記受信可能放送チャネルでないと判定する第２判定ステップとを実行することを特徴とする放送受信装置。
【請求項２】
請求項１記載の放送受信装置であって、
前記受信可能放送チャネル判定手段は、前記第２判定ステップにおいて、前記検査チャネルの前記第１受信品質と前記第２受信品質とを総合的に評価した評価値が、所定のしきい値より低くない場合に、前記検査チャネルは前記受信可能放送チャネルであると判定することを特徴とする放送受信装置。
【請求項３】
請求項１記載の放送受信装置であって、
前記受信可能放送チャネル判定手段は、
前記第２判定ステップにおいて、前記検査チャネルの前記第１受信品質と前記第２受信品質とを総合的に評価した評価値が、所定のしきい値より低くないと判定された場合に、
所定期間経過後に再び前記検査チャネルの前記ダイバシティ受信品質を調べ、当該所定期間経過後の前記検査チャネルの前記ダイバシティ受信品質が前記第１のレベルより良好であるときに、前記検査チャネルは前記受信可能放送チャネルであると判定し、当該所定期間経過後の前記検査チャネルの前記ダイバシティ受信品質が前記第１のレベルより良好でないときに前記検査チャネルは前記受信可能放送チャネルでないと判定する第３判定ステップを実行することを特徴とする放送受信装置。
【請求項４】
請求項１記載の放送受信装置であって、
前記受信可能放送チャネル判定手段は、
前記第２判定ステップにおいて、前記検査チャネルの前記第１受信品質と前記第２受信品質とを総合的に評価した評価値が、所定のしきい値より低くないと判定された場合に、所定期間経過するまで前記検査チャネルの前記ダイバシティ受信品質を監視し、当該所定期間経過する前に前記ダイバシティ受信品質が前記第１のレベルより良好となったならば当該時点で前記検査チャネルは前記受信可能放送チャネルであると判定し、当該所定期間経過する前に前記ダイバシティ受信品質が前記第１のレベルより良好とならなかったときに前記検査チャネルは前記受信可能放送チャネルでないと判定する第３判定ステップを実行することを特徴とする放送受信装置。
【請求項５】
放送チャネルを用いて無線伝送される放送を受信する放送受信装置であって、
前記放送を受信する第１受信手段と、
前記放送を受信する第２受信手段と、
前記第１受信手段と第２受信手段とを用いた前記放送のダイバシティ受信を行うダイバシティ受信部と、
前記検査チャネルの前記第１受信手段による受信品質を第１受信品質として検出する第１受信品質検出部と、
前記検査チャネルの前記第２受信手段による受信品質を第２受信品質として検出する第２受信品質検出部と、
前記検査チャネルの前記ダイバシティ受信部の受信品質をダイバシティ受信品質として検出するダイバシティ受信品質検出部と、
検査対象の放送チャネルである検査チャネルが、正常に受信できる受信可能放送チャネルであるかどうかを判定する判定処理を行う受信可能放送チャネル判定手段とを有し、
前記受信可能放送チャネル判定手段は、前記判定処理において、
前記検査チャネルの第１受信品質が、予め定めたレベルより良好である場合に、前記検査チャネルは前記受信可能放送チャネルであると判定する第１判定ステップと、
前記第１判定ステップで前記検査チャネルの前記ダイバシティ受信品質が前記受信可能放送チャネルであると判定できなかった場合に、前記検査チャネルの前記第１受信品質と前記第２受信品質とを総合的に評価した評価値を調べ、当該評価値が、所定のしきい値より低い場合に、前記検査チャネルは前記受信可能放送チャネルでないと判定する第２判定ステップと、
前記第２判定ステップにおいて、前記検査チャネルの前記第１受信品質と前記第２受信品質とを総合的に評価した評価値が、所定のしきい値より低くないと判定された場合に、所定期間経過するまでに前記ダイバシティ受信品質が所定の第１のレベルより良好となったならば前記検査チャネルは前記受信可能放送チャネルであると判定し、当該所定期間経過するまでに前記ダイバシティ受信品質が前記第１のレベルより良好とならなかったときに前記検査チャネルは前記受信可能放送チャネルでないと判定する第３判定ステップとを実行することを特徴とする放送受信装置。
【請求項６】
請求項１、２、３、４または５記載の放送受信装置であって、
前記第１のレベルは、前記ダイバシティ受信部で前記検査チャネルを正常に受信できることが保証できる当該検査チャネルの前記ダイバシティ受信品質のレベルの最低値であることを特徴とする放送受信装置。
【請求項７】
請求項１、２、３、４、５または６記載の放送受信装置であって、
前記検査チャネルの前記第１受信品質と前記第２受信品質とを総合的に評価した評価値は、前記第１受信品質と前記第２受信品質との平均値であることを特徴とする放送受信装置。
【請求項８】
請求項１、２、３、４、５、６または７記載の放送受信装置であって、
放送を正常に受信可能な放送チャネルを探索し、探索した放送チャネルを、放送を受信してユーザに音声を出力する放送チャネルである利用チャネルに設定するシーク手段を有し、
前記シーク手段は、前記検査チャネルとする放送チャネルを切替ながら、各検査チャネルについての前記判定処理を受信可能放送チャネル判定手段に行わせて、各放送チャネルが前記受信可能放送チャネルであるか否かを検出し、最初に前記受信可能放送チャネルであることが検出された放送チャネルを、前記利用チャネルに設定することを特徴とする放送受信装置。
【請求項９】
請求項１、２、３、４、５、６、７または８記載の放送受信装置であって、
当該放送受信装置が正常に受信可能な放送チャネルを登録したステーションリストと、
前記ステーションリストを作成するスキャン手段とを備え、
前記スキャン手段は、前記検査チャネルとする放送チャネルを切替ながら、各検査チャネルについての前記判定処理を受信可能放送チャネル判定手段に行わせて、各放送チャネルが前記受信可能放送チャネルであるか否かを検出し、前記受信可能放送チャネルであることが検出された放送チャネルを前記ステーションリストに登録することを特徴とする放送受信装置。
【請求項１０】
請求項１、２、３、４、５、６、７、８または９記載の放送受信装置であって、
前記放送はラジオ放送であることを特徴とする放送受信装置。
【請求項１１】
請求項１、２、３、４、５、６、７、８、９または１１記載の放送受信装置であって、
当該放送受信装置は、自動車に搭載される放送受信装置であることを特徴とする放送受信装置。
【発明の詳細な説明】
【技術分野】
【０００１】
本発明は、ラジオ放送等の放送のダイバシティ受信を行う放送受信装置に関するものである。
【背景技術】
【０００２】
ラジオ放送等の放送のダイバシティ受信を行う技術としては、二つのアンテナで受信した二つの受信信号のうちの、受信レベルの低い方の受信信号のレベルを、受信レベルの高い方の受信信号のレベルに一致するように増幅するとともに、二つの受信信号の位相を揃え合成するフェーズダイバシティ受信の技術が知られている（たとえば、特許文献１）。
【０００３】
また、ラジオ放送等の放送のダイバシティ受信を行う技術としては、アンテナとチューナの組を二組備えたラジオ放送受信装置において、受信中の放送局の放送の受信品質が不良であるときには、アンテナとチューナの組を二組用いて放送のフェーズダイバシティ受信を行い、受信中の放送局の放送の受信品質が良好であるときには、アンテナとチューナの一方の組を放送の受信に用いつつ、他方の組をバックグランドで用いて受信可能な他の放送の探索を行う技術が知られている（たとえば、特許文献２）。
【０００４】
ここで、この技術では、フェーズダイバシティ受信を開始した後、安定して定常的なフェーズダイバシティ受信が行えるようになるまで、音声の出力をミュートすることにより、定品質な音声がユーザに対して出力されてしまうことを抑止している。
【先行技術文献】
【特許文献】
【０００５】
【特許文献１】特開２００９-１５３０３３号公報
【特許文献２】特開２００９-１５３０３３号公報
【発明の概要】
【発明が解決しようとする課題】
【０００６】
上述したように、アンテナとチューナの組を二組備え、フェーズダイバシティ受信を行うラジオ放送受信装置において、一組のアンテナとチューナを用いて受信可能な放送の探索を行うと、二組のアンテナとチューナを用いるフェーズダイバシティ受信を行った場合に受信可能な放送の探索漏れが発生する。
【０００７】
一方で、受信可能な放送の探索をフェーズダイバシティ受信によって行えば、このような探索漏れの発生を排除することができるが、二つのアンテナでそれぞれ受信した受信信号の位相合わせやレベル合わせなどの前処理を行って初めて安定した定常的な放送のフェーズダイバシティ受信が可能となるため、受信可能な他の放送の探索に長時間を要してしまうようになるという問題が生じる。
【０００８】
そこで、本発明は、ダイバシティ受信を行う放送受信装置において、受信可能な放送の探索を、短時間で探索漏れなく行うことを課題とする。
【課題を解決するための手段】
【０００９】
前記課題達成のために、本発明は、放送チャネルを用いて無線伝送される放送を受信する放送受信装置に、前記放送を受信する第１受信手段と、前記放送を受信する第２受信手段と、前記第１受信手段と第２受信手段とを用いた前記放送のダイバシティ受信を行うダイバシティ受信部と、前記検査チャネルの前記第１受信手段による受信品質を第１受信品質として検出する第１受信品質検出部と、前記検査チャネルの前記第２受信手段による受信品質を第２受信品質として検出する第２受信品質検出部と、前記検査チャネルの前記ダイバシティ受信部の受信品質をダイバシティ受信品質として検出するダイバシティ受信品質検出部と、検査対象の放送チャネルである検査チャネルが、正常に受信できる受信可能放送チャネルであるかどうかを判定する判定処理を行う受信可能放送チャネル判定手段とを備えたものである。ただし、前記受信可能放送チャネル判定手段は、前記判定処理において、前記検査チャネルの前記ダイバシティ受信品質が、所定の第１のレベルより良好である場合に、前記検査チャネルは前記受信可能放送チャネルであると判定する第１判定ステップを実行すると共に、前記第１判定ステップで前記検査チャネルの前記ダイバシティ受信品質が前記受信可能放送チャネルであると判定できなかった場合に、前記検査チャネルの前記第１受信品質と前記第２受信品質とを総合的に評価した評価値を調べ、当該評価値が、所定のしきい値より低い場合に、前記検査チャネルは前記受信可能放送チャネルでないと判定する第２判定ステップとを実行する。
【００１０】
ここで、このような放送受信装置は、前記受信可能放送チャネル判定手段が、前記第２判定ステップにおいて、前記検査チャネルの前記第１受信品質と前記第２受信品質とを総合的に評価した評価値が、所定のしきい値より低くない場合に、前記検査チャネルは前記受信可能放送チャネルであると判定するように構成してもよい。
【００１１】
または、このような放送受信装置は、前記受信可能放送チャネル判定手段が、前記第２判定ステップにおいて、前記検査チャネルの前記第１受信品質と前記第２受信品質とを総合的に評価した評価値が、所定のしきい値より低くないと判定された場合に、所定期間経過後に再び前記検査チャネルの前記ダイバシティ受信品質を調べ、当該所定期間経過後の前記検査チャネルの前記ダイバシティ受信品質が前記第１のレベルより良好であるときに、前記検査チャネルは前記受信可能放送チャネルであると判定し、当該所定期間経過後の前記検査チャネルの前記ダイバシティ受信品質が前記第１のレベルより良好でないときに前記検査チャネルは前記受信可能放送チャネルでないと判定する第３判定ステップを実行するように構成してもよい。
【００１２】
または、このような放送受信装置は、前記受信可能放送チャネル判定手段が、前記第２判定ステップにおいて、前記検査チャネルの前記第１受信品質と前記第２受信品質とを総合的に評価した評価値が、所定のしきい値より低くないと判定された場合に、所定期間経過するまで前記検査チャネルの前記ダイバシティ受信品質を監視し、当該所定期間経過する前に前記ダイバシティ受信品質が前記第１のレベルより良好となったならば当該時点で前記検査チャネルは前記受信可能放送チャネルであると判定し、当該所定期間経過する前に前記ダイバシティ受信品質が前記第１のレベルより良好とならなかったときに前記検査チャネルは前記受信可能放送チャネルでないと判定するように構成してもよい。
【００１３】
また、以上の各放送受信装置において、前記第１のレベルは、たとえば、前記ダイバシティ受信部で前記検査チャネルを正常に受信できることが保証できる当該検査チャネルの前記ダイバシティ受信品質のレベルの最低値である。
【００１４】
また、以上の放送受信装置において、前記検査チャネルの前記第１受信品質と前記第２受信品質とを総合的に評価した評価値としては、前記第１受信品質と前記第２受信品質との平均値などを用いることができる。
【００１５】
さて、以上のような放送受信装置に、放送を正常に受信可能な放送チャネルを探索し、探索した放送チャネルを、放送を受信してユーザに音声を出力する放送チャネルである利用チャネルに設定するシーク手段を設け、前記シーク手段において、前記検査チャネルとする放送チャネルを切替ながら、各検査チャネルについての前記判定処理を受信可能放送チャネル判定手段に行わせて、各放送チャネルが前記受信可能放送チャネルであるか否かを検出し、最初に前記受信可能放送チャネルであることが検出された放送チャネルを、前記利用チャネルに設定するようにしてもよい。
【００１６】
また、以上のような放送受信装置に、当該放送受信装置が正常に受信可能な放送チャネルを登録したステーションリストと、前記ステーションリストを作成するスキャン手段とを備え、前記スキャン手段において、前記検査チャネルとする放送チャネルを切替ながら、各検査チャネルについての前記判定処理を受信可能放送チャネル判定手段に行わせて、各放送チャネルが前記受信可能放送チャネルであるか否かを検出し、前記受信可能放送チャネルであることが検出された放送チャネルを前記ステーションリストに登録するようにしてもよい。
【００１７】
ここで、以上の放送受信装置において、前記放送は、たとえばラジオ放送である。また、以上の放送受信装置は、自動車に搭載される放送受信装置であってもよい。
以上のような放送受信装置によれば、第１レベルやしきい値を適切に設定することにより、ダイバシティ受信品質が安定的に算出されていることが保証されている期間の到来前に算出されたダイバシティ受信品質より、ダイバシティ受信によって検査チャネルの放送を正常に受信できることが明らかである場合や、検査チャネルの第１受信品質と第２受信品質の総合的な評価値から、ダイバシティ受信によって検査チャネルの放送を正常に受信できないことが明らかである場合には、ダイバシティ受信品質の検出の安定が保証される期間の到来を待つことなく、検査チャネルが受信可能放送チャネルであるかどうかを判定することができる。
【００１８】
そして、本放送受信装置では、ダイバシティ受信品質が安定的に算出されていることが保証されている期間の到来前に算出されたダイバシティ受信品質や、検査チャネルの第１受信品質と第２受信品質の総合的な評価値からでも、ダイバシティ受信によって検査チャネルの放送を正常に受信できるかできないかが明らかでない場合にのみ、ダイバシティ受信品質の検出の安定が保証される期間の到来を待って、ダイバシティ受信品質から検査チャネルが受信可能放送チャネルであるかどうかを判定することとなる。
【００１９】
よって、このような放送受信装置によれば、ダイバシティ受信を行う放送受信装置が受信可能な放送の探索を、より短時間で探索漏れなく行うことができる。
また、併せて、本発明は、放送チャネルを用いて無線伝送される放送を受信する放送受信装置に、前記放送を受信する第１受信手段と、前記放送を受信する第２受信手段と、前記第１受信手段と第２受信手段とを用いた前記放送のダイバシティ受信を行うダイバシティ受信部と、前記検査チャネルの前記第１受信手段による受信品質を第１受信品質として検出する第１受信品質検出部と、前記検査チャネルの前記第２受信手段による受信品質を第２受信品質として検出する第２受信品質検出部と、前記検査チャネルの前記ダイバシティ受信部の受信品質をダイバシティ受信品質として検出するダイバシティ受信品質検出部と、検査対象の放送チャネルである検査チャネルが、正常に受信できる受信可能放送チャネルであるかどうかを判定する判定処理を行う受信可能放送チャネル判定手段とを備えたものである。ここで、前記受信可能放送チャネル判定手段は、前記判定処理において、前記検査チャネルの第１受信品質が、予め定めたレベルより良好である場合に、前記検査チャネルは前記受信可能放送チャネルであると判定する第１判定ステップと、前記第１判定ステップで前記検査チャネルの前記ダイバシティ受信品質が前記受信可能放送チャネルであると判定できなかった場合に、前記検査チャネルの前記第１受信品質と前記第２受信品質とを総合的に評価した評価値を調べ、当該評価値が、所定のしきい値より低い場合に、前記検査チャネルは前記受信可能放送チャネルでないと判定する第２判定ステップと、前記第２判定ステップにおいて、前記検査チャネルの前記第１受信品質と前記第２受信品質とを総合的に評価した評価値が、所定のしきい値より低くないと判定された場合に、所定期間経過するまでに前記ダイバシティ受信品質が所定の第１のレベルより良好となったならば前記検査チャネルは前記受信可能放送チャネルであると判定し、当該所定期間経過するまでに前記ダイバシティ受信品質が前記第１のレベルより良好とならなかったときに前記検査チャネルは前記受信可能放送チャネルでないと判定する第３判定ステップとを実行する。
【００２０】
このような放送受信装置によれば、予め定めたレベルやしきい値を適切に設定することにより、第１受信品質より、ダイバシティ受信によって検査チャネルの放送を正常に受信できることが明らかである場合や、検査チャネルの第１受信品質と第２受信品質の総合的な評価値から、ダイバシティ受信によって検査チャネルの放送を正常に受信できないことが明らかである場合には、ダイバシティ受信品質の検出の安定が保証される期間の到来を待つことなく、検査チャネルが受信可能放送チャネルであるかどうかを判定することができる。
【００２１】
そして、本放送受信装置においては、第１受信品質や第１受信品質と第２受信品質の総合的な評価値からでは、ダイバシティ受信によって検査チャネルの放送を正常に受信できるかできないかが明らかでない場合にのみ、ダイバシティ受信品質の検出の安定が保証される期間の到来を待って、第１のレベルを用いて、ダイバシティ受信品質から検査チャネルが受信可能放送チャネルであるかどうかを判定することとなる。
【００２２】
よって、このような放送受信装置によれば、ダイバシティ受信を行う放送受信装置が受信可能な放送の探索を、より短時間で探索漏れなく行うことができる。
【発明の効果】
【００２３】
以上のように、本発明によれば、ダイバシティ受信を行う放送受信装置において、受信可能な放送の探索を、短時間で探索漏れなく行うことができる。
【図面の簡単な説明】
【００２４】
【図１】本発明の実施形態に係るラジオ放送受信装置の構成を示すブロック図である。
【図２】本発明の実施形態に係るシーク処理を示すフローチャートである。
【図３】本発明の実施形態に係るダイバシティ受信品質の推移を示す図である。
【図４】本発明の実施形態に係るシーク処理の他の例を示すフローチャートである。
【発明を実施するための形態】
【００２５】
以下、本発明の実施形態について説明する。
図１に、本実施形態に係るラジオ放送受信装置の構成を示す。
図示するように、ラジオ放送受信装置は、第１アンテナ１０１、第２アンテナ１０２、第１アンテナ１０１を用いて放送を受信する第１チューナ１０３、第２アンテナ１０２を用いて放送を受信する第２チューナ１０４、合成処理部１０５、復調部１０６、アンプ１０７、スピーカ１０８、制御部１０９、入力装置１１０、表示装置１１１、メモリ１１２を備えている。
【００２６】
ここで、このような構成において、第１チューナ１０３と第２チューナ１０４には、制御部１０９によって、選択的に一つの周波数チャネルが受信チャネルとして設定される。そして、第１チューナ１０３は、第１アンテナ１０１が受信したＲＦ信号より受信チャネルのＩＦ信号を生成し合成処理に出力し、第２チューナ１０４は、第２アンテナ１０２が受信したＲＦ信号より受信チャネルのＩＦ信号を生成し合成処理部１０５に出力する。
【００２７】
また、また、第１チューナ１０３は、Ｓメータ（信号強度）、ＳＮ比、マルチパス歪みなどに基く、第１チューナ１０３における受信チャネルの受信品質を第１チューナ１０３の受信品質Qr1として算定し、第２チューナ１０４は、Ｓメータ（信号強度）、ＳＮ比、マルチパス歪みなどに基く、第２チューナ１０４における受信チャネルの受信品質を、第２チューナ１０４の受信品質Qr2として算定する。
【００２８】
次に、合成処理部１０５は、第１チューナ１０３から入力するＩＦ信号と第２チューナ１０４から入力するＩＦ信号を位相調整、ゲイン調整した上で合成するフェーズダイバシティ合成を行い、合成したＩＦ信号を復調部１０６に出力する。また、合成処理部１０５は、合成したＩＦ信号の信号強度などより、合成処理部１０５における受信チャネルの受信品質を、ダイバシティ受信品質QrDとして算定する。
【００２９】
なお、合成処理部１０５においては、上述した位相調整、ゲイン調整のための位相差検出、レベル検出などの前処理を完了して、フェーズダイバシティ合成によって受信チャネルを定常受信できるようになるため、算定されたダイバシティ受信品質QrDが安定していることが保証できる期間である保証期間は、第１チューナ１０３と第２チューナ１０４で受信チャネルの受信を開始してから一定の時間の経過した後の期間となる。
【００３０】
次に、復調部１０６は、合成処理部１０５から入力するＩＦ信号より音声を復元し、復元した音声をアンプ１０７に出力する。そして、アンプ１０７は受信部から出力された音声を、制御部１０９から設定されたゲインで増幅しスピーカ１０８から出力する。
【００３１】
さて、このようなラジオ放送受信装置において、制御部１０９は、入力装置１１０を介してユーザから放送局の選局操作を受け付けたならば、選局された放送局の周波数チャネルを受信チャネルとして第１チューナ１０３と第２チューナ１０４に設定して、選局された放送局の放送を合成処理部１０５にフェーズダイバシティ受信させ、その音声をスピーカ１０８から出力させる。
【００３２】
以下、制御部１０９が行うシーク処理について説明する。
ここで、シーク処理は、入力装置１１０を介してユーザからシーク指示操作を受け付けた場合に開始する処理である。また、このシーク処理は、受信チャネルとして設定する周波数チャネルをシーク方向に変化させながら良好に放送を受信できる周波数チャネルを探索し、最初に探索できた周波数チャネルの放送の受信及び受信した放送の音声のスピーカ１０８からの出力を開始する処理である。なお、シーク方向とは、シーク指示操作によって指示される方向であり、周波数が増加する方向と周波数が減少する方向のいずれかとなる。
【００３３】
図２に、このシーク処理の手順を示す。
図示するように、この処理では、まず、アンプ１０７を制御し、音声のスピーカ１０８への出力をミュートする（ステップ２０２）。
そして、現在受信チャネルとして第１チューナ１０３に設定している周波数チャネルにシーク方向に隣接している周波数チャネルに、第１チューナ１０３と第２チューナ１０４に設定する周波数チャネルを変更する（ステップ２０４）。ここで、ラジオ放送においては、周波数チャネルは、当該ラジオ放送の放送周波数帯内において、予め定めた基準周波数に対して所定の単位周波数間隔の整数倍離れた周波数に割り当てることができる。そして、第１チューナ１０３に設定している周波数チャネルにシーク方向に隣接している周波数チャネルとは、シーク方向が周波数を増加する方向であれば第１チューナ１０３に設定している周波数チャネルよりも上記単位周波数間隔分、周波数が大きい周波数チャネルであり、シーク方向が周波数を減少する方向であれば第１チューナ１０３に設定している周波数チャネルよりも上記単位周波数間隔分、周波数が小さい周波数チャネルである。
【００３４】
さて、第１チューナ１０３と第２チューナ１０４に設定する周波数チャネルを変更したならば、所定時間T1（T1はたとえば10ms)の経過を待ち（ステップ２０６）、所定時間T1経過したならば、合成処理部１０５が算出しているダイバシティ受信品質QrDを取得し、ダイバシティ受信品質QrDがしきい値ThGDより良好であるかどうかを調べる（ステップ２０８）。
【００３５】
ここで、所定時間T1としては、第１チューナ１０３と第２チューナ１０４で新たな受信チャネルの受信を開始してから、第１チューナ１０３と第２チューナ１０４の受信が安定し、受信品質Qr1、Qr2を安定的に算出できるようになるまでに要する時間を設定する。また、しきい値ThGDとしては、フェーズダイバーシティ受信によって正常に放送が受信できることが確実となる、受信品質QrDの最低値を設定する。
【００３６】
そして、ダイバシティ受信品質QrDがしきい値ThGDより良好であれば（ステップ２０８）、音声出力のミュートを解除して（ステップ２１０）、ダイバシティ受信した音声をスピーカ１０８から出力させる。そして、シーク処理を終了する。
【００３７】
ここで、ダイバシティ受信品質QrDとしておおよそ安定した値が検出されるまでに要する時間は、受信品質Qr1、Qr2と、フェーズダイバーシティ受信の合成アルゴリズムに依存して変化する。
【００３８】
たとえば、フェーズダイバーシティ受信の合成アルゴリズムが、合成処理部１０５の出力するＩＦ信号に含まれる、第１チューナ１０３のＩＦ信号の成分と第２チューナ１０４のＩＦ信号の成分の初期状態の比を第１チューナ１０３のＩＦ信号の成分を１００％として、合成処理部１０５の出力するＩＦ信号に含まれる第２チューナ１０４のＩＦ信号の成分の比を最適な比率になるまで徐々に増加させるアルゴリズムである場合には、図３ａに示すように、受信品質Qr1が良好である場合には、即座にダイバシティ受信品質QrDとして良好な値がおおよそ安定した値として検出されるようになる一方で、図３ｂに示すように、受信品質Qr1が良好でなく受信品質Qr2が良好である場合には、即座にはダイバシティ受信品質QrDとして良好な値は検出されずに、良好な値が安定して検出されるようになるまでに比較的長い時間を要することとなる。
【００３９】
合成アルゴリズムによらずに、一般的には、受信品質Qr1、Qr2の差が小さい場合にはダイバシティ受信品質QrDとしておおよそ安定した値が検出されるようになるまでに要する時間は短く、受信品質Qr1、Qr2の差が大きい場合にはダイバシティ受信品質QrDとしておおよそ安定した値が検出されるようになるまでに要する時間は長くなるケースが生じると考えられるが、合成アルゴリズムに従った合成処理の進行に伴ってダイバシティ受信品質QrDが劣化していくことは考え難いので、いずれの場合も、上述した保証期間に至る前にダイバシティ受信品質QrDとして良好な値が検出された場合には、ダイバシティ受信品質QrDの安定した値は良好であると考えることができる。
【００４０】
したがって、上述した保証期間に至る前であっても、ステップ２０８で、ダイバシティ受信品質QrDがしきい値ThGDより良好であることが検出できた場合には、検査チャネルは良好に放送を受信できる周波数チャネルであると考えることができるので、その時点の受信チャネルからダイバシティ受信した音声をスピーカ１０８から出力させることにより正しいシーク処理が完了する
【００４１】
一方、ステップ２０８において、ダイバシティ受信品質QrDがしきい値ThGDより良好でないと判定された場合には、第１チューナ１０３が算出している第１チューナ１０３の受信品質Qr1と第２チューナ１０４が算出している第２チューナ１０４の受信品質Qr2と合成値QrMを算出する（ステップ２１２）。
【００４２】
ここで、合成値QrMとしては、第１受信品質Qr1と第２受信品質Qr2の総合的な評価を表す値を用いる。すなわち、たとえば、合成値QrMとしては、第１チューナ１０３の受信品質Qr1と第２チューナ１０４の受信品質Qr2と平均値を用いる。
【００４３】
そして、算出した合成値QMがしきい値ThGMより良好であるかどうかを調べ（ステップ２１４）、良好でなければステップ２０４からの処理に戻る。
ここで、しきい値ThGMとしては、フェーズダイバシティ受信を行っても正常に放送を受信できないことが確実となる合成値QrMの最高値を設定する。より具体的には、たとえば、合成値QrMとして第１チューナ１０３の受信品質Qr1と第２チューナ１０４の受信品質Qr2と平均値を用いた場合には、しきい値ThGMとしては、上述したしきい値ThGDと同じ値から所定のマージンを差し引いた値や、フェーズダイバーシティ受信を行うことなく、第１チューナ１０３の単独の受信によって正常に放送が受信できることが確実となる受信品質Qr1の最低値から所定のマージンを差し引いた値などを用いることができる。
【００４４】
一方、算出した合成値QMがしきい値ThGMより良好である場合には（ステップ２１４）、所定時間T2（T2はたとえば40ms)の経過を待ち（ステップ２１６）、所定時間T2が経過したならば、合成処理部１０５が算出しているダイバシティ受信品質QrDがしきい値ThGDより良好であるかどうかを調べ（ステップ２１８）、良好でなければステップ２０４からの処理に戻る。
【００４５】
ここで、所定時間T2としては、ダイバシティ受信品質QrDが安定的に算出されていることが保証できる期間である上述した保証期間の始期までの、第１チューナ１０３と第２チューナ１０４で新たな受信チャネルの受信を開始してからの経過時間から、上述した時間T1を差し引いた時間を設定する。
【００４６】
すなわち、たとえば、図３ｂに示すように、第１チューナ１０３と第２チューナ１０４で新たな受信チャネルの受信を開始してから、第１チューナ１０３と第２チューナ１０４での受信が安定し、受信品質Qr1、Qr2を安定的に算出できるようになるまでに要する時間が10msであれば時間T1として10msを設定し、合成処理部１０５におけるダイバシティ受信が安定し、ダイバシティ受信品質QrDが安定的に算出されていることが保証できる期間である上述した保証期間の始期までの、第１チューナ１０３と第２チューナ１０４で新たな受信チャネルの受信を開始してからの経過時間が50msであれば、時間T2としては50ms から時間T1を差し引いた40msを設定する。
【００４７】
一方、ダイバシティ受信品質QrDがしきい値ThGDより良好であれば（ステップ２１８）、音声出力のミュートを解除して（ステップ２１０）、ダイバシティ受信した音声をスピーカ１０８から出力させる。
【００４８】
そして、シーク処理を終了する。
以上、制御部１０９が行うシーク処理について説明した。
以上、本発明の実施形態について説明した。
このように本実施形態によれば、安定的に算出されていることが保証される期間の到来前のダイバシティ受信品質QrDより受信チャネルの放送を正常に受信できることが明らかである場合や、第１受信品質Qr1と第２受信品質Qr2の合成値QrMから、ダイバシティ受信によっても受信チャネルの放送を正常に受信できないことが明らかである場合には、安定的にダイバシティ受信品質QrDが算出されていることが保証される期間の到来を待つことなく、受信チャネルが受信可能放送チャネルであるかどうかを判定する。
【００４９】
そして、安定的に算出されていることが保証される期間の到来前のダイバシティ受信品質QrDや、第１受信品質Qr1と第２受信品質Qr2の合成値QrMから、ダイバシティ受信によっても受信チャネルの放送を正常に受信できるかできないかが明らかでない場合にのみ、ダイバシティ受信品質QrDが安定的に算出されていることが保証される期間の到来を待って、ダイバシティ受信品質QrDから受信チャネルの放送を正常に受信できるかどうかを判定する。
【００５０】
よって、本実施形態によれば、受信可能な放送チャネルの探索を、より短時間で探索漏れなく行うことができるようになる。
ところで、以上の実施形態のシーク処理のステップ２０８は、受信品質Qr1が所定のしきい値ThG1より良好であるかどうかを調べ、良好である場合にステップ２１０に進み、良好でない場合にステップ２１２に進む処理としてもよい。ここで、この場合には、しきい値ThG1は、フェーズダイバシティ受信によらずに一つのチューナの単独の受信で放送を受信できることができる受信品質Qr1の最低値とする。ここで、一つのチューナで単独で放送を受信できる場合には、フェーズダイバシティ受信によっても放送を受信できるので、このようにしてもステップ２０８で速やかなフェーズダイバシティ受信が可能であることの判定を行うことができる。
【００５１】
また、以上のシーク処理は、ステップ２１２で算出した合成値QMがしきい値ThGMより良好であるとステップ２１４で判定された場合には、そのままステップ２１０に進んで、音声出力のミュートを解除して（ステップ２１２）、ダイバシティ受信した音声をスピーカ１０８から出力させ、シーク処理を終了するものとしてもよい。
【００５２】
または、以上のシーク処理は、図４に示すように、ステップ２１２で算出した合成値QMがしきい値ThGMより良好であるとステップ２１４で判定された場合には、タイムアウト時間として上述した時間T2を設定したタイマをスタートし（ステップ３０２）、ダイバシティ受信品質QrDがしきい値ThGDより良好となる前に（ステップ３０４）、タイマがタイムアウトした場合には（ステップ３０６）、ステップ２０４からの処理に戻り、タイマがタイムアウトする前に（ステップ３０６）、ダイバシティ受信品質QrDがしきい値ThGDより良好となったならば（ステップ３０４）、ステップ２１０２に進んで、音声出力のミュートを解除して、ダイバシティ受信した音声をスピーカ１０８から出力させ、シーク処理を終了するものとしてもよい。
【００５３】
また、以上の実施形態では、受信チャネルとして設定する周波数チャネルを増加方向もしくは減少方向に変化させながら良好に放送を受信できる周波数チャネルを探索し、最初に探索できた周波数チャネルの放送の受信及び受信した放送の音声のスピーカ１０８からの出力を開始するシーク処理について説明したが、以上で示した第１チューナ１０３と第２チューナ１０４で検出した受信品質Qr1/Qr2とダイバシティ受信品質QrDに応じて、周波数チャネルの放送の受信の可否を判定する技術は、各種サーチ、各種スキャンなど任意の用途における周波数チャネルの放送の受信の可否の検出に同様に適用することができる。
【００５４】
たとえば、ラジオ放送受信装置において、当該ラジオ放送受信装置がユーザによって使用されていないとき、すなわち、放送から受信した音声をアンプ１０７を介してスピーカ１０８から出力していないときに、バックグランドで、良好に放送を受信可能な周波数チャネルと探索して、探索した周波数チャネルのリストをメモリ１１２にステーションリストとして登録するスキャン処理を行うようにしてもよい。なお、ステーションリストは、ユーザの放送チャネルの選局などに利用されるリストである。
【００５５】
ここで、このスキャン処理では、制御部１０９は、たとえば、第１チューナ１０３と第２チューナ１０４に受信チャネルとして設定する周波数チャネルを、放送の放送周波数帯内において単位周波数間隔で変化させながら、受信チャネルとして設定した各周波数チャネルについて以下の処理を行う。
【００５６】
すなわち、上述した所定時間T1の経過を待ってダイバシティ受信品質QrDがしきい値ThGDより良好な受信品質であるかどうか、または、受信品質Qr1がしきい値ThG1より良好であるかどうかを調べ、良好な受信品質であれば、受信チャネルに設定されている周波数チャネルをステーションリストに登録し、次の周波数チャネルについての処理に進む。一方、ダイバシティ受信品質QrDがしきい値ThGDより良好でなければ、第１チューナ１０３の受信品質Qr1と第２チューナ１０４が算出している第２チューナ１０４の受信品質Qr2と合成値QrMを算出する。そして、合成値QMがしきい値ThGMより良好でない場合には、直ちに次の周波数チャネルについての処理に進む。一方、合成値QMがしきい値ThGMより良好であれば、上述した所定時間T2の経過を待ってから、または、経過までダイバシティ受信品質QrDがしきい値ThGDより良好であるかどうかを調べる。そして、所定時間T2の経過時に、ダイバシティ受信品質QrDがしきい値ThGDより良好でなければ、次の周波数チャネルについての処理に進む。一方、所定時間T2の経過時または経過前にダイバシティ受信品質QrDがしきい値ThGDより良好となっていれば、受信チャネルに設定されている周波数チャネルをステーションリストに登録した上で、次の周波数チャネルについての処理に進む。
【００５７】
ただし、このスキャン処理においても、合成値QMがしきい値ThGMより良好である場合には、無条件に受信チャネルに設定されている周波数チャネルをステーションリストに登録した上で、次の周波数チャネルについての処理に進むようにしてもよい。
【００５８】
また、以上の実施形態では、ラジオ放送を受信する放送受信装置への適用を例にとり説明したが、本実施形態は、良好に放送を受信できる周波数チャネルを判定する技術は、本実施形態で示したＴＶ放送を受信する放送受信装置などの、任意の放送を受信する放送受信装置に同様に適用することができる。
【符号の説明】
【００５９】
１０１…第１アンテナ、１０２…第２アンテナ、１０３…第１チューナ、１０４…第２チューナ、１０５…合成処理部、１０６…復調部、１０７…アンプ、１０８…スピーカ、１０９…制御部、１１０…入力装置、１１１…表示装置、１１２…メモリ。
【図１】
2018056938.tif 000003
【図２】
2018056938.tif 000004
【図３】
2018056938.tif 000005
【図４】
2018056938.tif 000006